【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
重複する領域を有する複数の放射線画像のそれぞれに対して、ユーザの操作により入力された対応点が一致するように、前記複数の放射線画像の少なくとも何れか１つを平行移動する平行移動手段と、
前記重複する領域を有する複数の放射線画像のそれぞれに対して、ユーザの操作により入力された対応方向が一致するように、前記複数のデジタル放射線画像の少なくとも何れか１つを回転移動する回転移動手段と、
前記平行移動手段及び前記回転移動手段により移動された放射線画像を用いて、前記複数の放射線画像を合成する画像合成手段とを有することを特徴とする放射線画像処理装置。
【請求項２】
前記対応方向は、前記対応点を起点とした方向であり、
前記回転移動手段は、前記対応点を中心にして、前記複数の放射線画像の少なくとも何れか１つを回転移動することを特徴とする請求項１に記載の放射線画像処理装置。
【請求項３】
前記回転移動手段は、前記対応点以外のユーザの操作によって入力された任意の点を中心にして、前記複数の放射線画像の少なくとも何れか１つを回転移動することを特徴とする請求項１または２に記載の放射線画像処理装置。
【請求項４】
前記画像合成手段により合成された複数の放射線画像の少なくとも１つを回転移動して、前記画像合成手段により合成された複数の放射線画像の位置をユーザに補正させるようにするに際し、回転移動中の放射線画像の輪郭線と、前記回転移動中の放射線画像の回転角を示す補助線とを生成して表示装置に表示する補正線表示手段を有することを特徴とする請求項１〜３の何れか１項に記載の放射線画像処理装置。
【請求項５】
前記補助線は、前記回転移動する前の放射線画像の回転操作位置と、前記回転移動する際の回転中心位置とを結ぶ第１の補助線と、前記回転移動中の放射線画像の回転操作位置と、前記回転中心位置とを結ぶ第２の補助線とを含むことを特徴とする請求項４に記載の放射線画像処理装置。
【請求項６】
前記補助線は、前記回転移動中の放射線画像の輪郭線に平行なグリッドを含むことを特徴とする請求項４に記載の放射線画像処理装置。
【請求項７】
重複する領域を有する複数の放射線画像のそれぞれに対して、一対の対応点を入力する対応点入力手段と、
前記対応点入力手段によって入力された一対の対応点の一方が一致するように、前記複数の放射線画像の少なくとも何れか１つを平行移動する平行移動手段と、
前記対応点入力手段によって入力された一対の対応点の他方が一致するように、前記複数の放射線画像の少なくとも何れか１つを回転移動する回転移動手段と、
前記平行移動手段及び前記回転移動手段により移動された放射線画像を用いて、前記複数の放射線画像を合成する画像合成手段とを有することを特徴とする放射線画像処理装置。
【請求項８】
重複する領域を有する複数の放射線画像のそれぞれに対して、一対の対応点を入力する対応点入力手段と、
前記対応点入力手段によって入力された一対の対応点の一方が一致するように、前記複数の放射線画像の少なくとも何れか１つを平行移動する平行移動手段と、
前記対応点入力手段によって入力された一対の対応点の他方が一直線上に位置するように、前記複数の放射線画像の少なくとも何れか１つを回転移動する回転移動手段と、
前記平行移動手段及び前記回転移動手段により移動された放射線画像を用いて、前記複数の放射線画像を合成する画像合成手段とを有することを特徴とする放射線画像処理装置。
【請求項９】
前記対応点入力手段は、前記複数の放射線画像のうち一方の放射線画像で一対の対応点を入力した後、前記複数の放射線画像のうち他方の放射線画像で一対の対応点を入力する際に、補助線を表示する補助線表示手段を有することを特徴とする請求項７または８に記載の放射線画像処理装置。
【請求項１０】
前記対応点入力手段は、前記複数の放射線画像のうち一方の放射線画像で一対の対応点を入力した後、前記複数の放射線画像のうち他方の放射線画像で一対の対応点を入力する際に、対応点の入力範囲を規制する入力範囲規制手段を有することを特徴とする請求項７〜９の何れか１項に記載の放射線画像処理装置。
【請求項１１】
重複する領域を有する複数の放射線画像のそれぞれに対して、ユーザの操作により入力された対応点が一致するように、前記複数の放射線画像の少なくとも何れか１つを平行移動する平行移動ステップと、
前記重複する領域を有する複数の放射線画像のそれぞれに対して、ユーザの操作により入力された対応方向が一致するように、前記複数のデジタル放射線画像の少なくとも何れか１つを回転移動する回転移動ステップと、
前記平行移動ステップ及び前記回転移動ステップにより移動された放射線画像を用いて、前記複数の放射線画像を合成する画像合成ステップとを有することを特徴とする放射線画像処理方法。
【請求項１２】
重複する領域を有する複数の放射線画像のそれぞれに対して、一対の対応点を入力する対応点入力ステップと、
前記対応点入力ステップによって入力された一対の対応点の一方が一致するように、前記複数の放射線画像の少なくとも何れか１つを平行移動する平行移動ステップと、
前記対応点入力ステップによって入力された一対の対応点の他方が一致するように、前記複数の放射線画像の少なくとも何れか１つを回転移動する回転移動ステップと、
前記平行移動ステップ及び前記回転移動ステップにより移動された放射線画像を用いて、前記複数の放射線画像を合成する画像合成ステップとを有することを特徴とする放射線画像処理方法。
【請求項１３】
重複する領域を有する複数の放射線画像のそれぞれに対して、一対の対応点を入力する対応点入力ステップと、
前記対応点入力ステップによって入力された一対の対応点の一方が一致するように、前記複数の放射線画像の少なくとも何れか１つを平行移動する平行移動ステップと、
前記対応点入力ステップによって入力された一対の対応点の他方が一直線上に位置するように、前記複数の放射線画像の少なくとも何れか１つを回転移動する回転移動ステップと、
前記平行移動ステップ及び前記回転移動ステップにより移動された放射線画像を用いて、前記複数の放射線画像を合成する画像合成ステップとを有することを特徴とする放射線画像処理方法。
【請求項１４】
重複する領域を有する複数の放射線画像のそれぞれに対して、ユーザの操作により入力された対応点が一致するように、前記複数の放射線画像の少なくとも何れか１つを平行移動する平行移動ステップと、
前記重複する領域を有する複数の放射線画像のそれぞれに対して、ユーザの操作により入力された対応方向が一致するように、前記複数の放射線画像の少なくとも何れか１つを回転移動する回転移動ステップと、
前記平行移動ステップ及び前記回転移動ステップにより移動された放射線画像を用いて、前記複数の放射線画像を合成する画像合成ステップとをコンピュータに実行させることを特徴とするコンピュータプログラム。
【請求項１５】
重複する領域を有する複数の放射線画像のそれぞれに対して、一対の対応点を入力する対応点入力ステップと、
前記対応点入力ステップによって入力された一対の対応点の一方が一致するように、前記複数の放射線画像の少なくとも何れか１つを平行移動する平行移動ステップと、
前記対応点入力ステップによって入力された一対の対応点の他方が一致するように、前記複数の放射線画像の少なくとも何れか１つを回転移動する回転移動ステップと、
前記平行移動ステップ及び前記回転移動ステップにより移動された放射線画像を用いて、前記複数の放射線画像を合成する画像合成ステップとをコンピュータに実行させることを特徴とするコンピュータプログラム。
【請求項１６】
重複する領域を有する複数の放射線画像のそれぞれに対して、一対の対応点を入力する対応点入力ステップと、
前記対応点入力ステップによって入力された一対の対応点の一方が一致するように、前記複数の放射線画像の少なくとも何れか１つを平行移動する平行移動ステップと、
前記対応点入力ステップによって入力された一対の対応点の他方が一直線上に位置するように、前記複数の放射線画像の少なくとも何れか１つを回転移動する回転移動ステップと、
前記平行移動ステップ及び前記回転移動ステップにより移動された放射線画像を用いて、前記複数の放射線画像を合成する画像合成ステップとをコンピュータに実行させることを特徴とするコンピュータプログラム。
【請求項１７】
前記請求項１４〜１６の何れか１項に記載のコンピュータプログラムを記録したことを特徴とするコンピュータ読み取り可能な記録媒体。